(57)【要約】      （修正有）【課題】保管に要するスペースが少なくて済み、かつ使用に供する際の組み立ても撤去時の取り外しも容易であり、また温度調節が可能で、浸水した場合も安心して生活や活動ができ、さらに安価に構築することができる簡易床および簡易ベッド用ユニットを提供する。【解決手段】流体の流入出が可能な複数の籠状ブロックから成る構造物と補強枠と最上段が平面状になるような天板を備えたユニットであって、籠状ブロックは、開口の周縁に形成され、複数の突起部を備えた枠状のフランジ部と外側に傾斜する側壁とを備え、補強枠は、フランジ部に対応する形状を有し、フランジ部に突起部を受け入れる窪状部が設けられた少なくとも四個の枠部分を連結して形成され、突起部を窪状部に挿入して籠状ブロックから成る構造物と補強枠とを接続する場合において、二個の補強枠を跨いで構造物を補強枠に接続することにより複数の補強枠が水平方向に連結される。【選択図】図１
2019141228.tif 000002
【特許請求の範囲】
【請求項１】
流体の流入出が可能な複数の籠状ブロックから成る構造物と前記構造物によって水平方向に連結される補強枠と最上段が平面状になるような天板を備えたユニットであって、前記籠状ブロックは、底部と、前記底部の反対側に開放された開口の周縁に形成され、前記底部と反対方向に突出する複数の突起部を備えた枠状のフランジ部と、前記底部から前記フランジ部に向かって外側に傾斜する側壁と、を備え、前記補強枠は、前記フランジ部に対応する形状を有し、前記フランジ部に前記突起部を受け入れる窪状部が設けられた少なくとも四個の枠部分を連結して形成され、前記突起部を前記窪状部に挿入して前記籠状ブロックから成る前記構造物と前記補強枠とを接続する場合において、二個の前記補強枠を跨いで前記構造物を前記補強枠に接続することにより複数の前記補強枠が水平方向に連結されることを特徴とするユニット。
【請求項２】
簡易床または簡易ベッド用である請求項１記載のユニット。
【請求項３】
前記籠状ブロックと前記補強枠を組立てた状態で、縦方向と横方向の両方に流体が流れる貫通溝または貫通穴が出来ることを特徴とする請求項１または２に記載のユニット。
【請求項４】
前記籠状ブロックと前記補強枠を構成する部材は、熱可塑性樹脂であることを特徴とする請求項１〜３のいずれかに記載のユニット。
【請求項５】
前記箱状ブロックと前記補強枠を構成する部材は、射出成形にて製造されることを特徴とする請求項１〜４のいずれかに記載のユニット。
【発明の詳細な説明】
【技術分野】
【０００１】
本発明は、保管に要するスペースが少なくて済み、かつ、使用に供する際の組み立てや撤去の際の取り外しも容易で、温度調節が可能で、浸水した場合も安心して生活や活動ができ、更に安価に構築することができる簡易床および簡易ベッド用ユニットに関する。
【背景技術】
【０００２】
大規模な自然災害が発生し、多くの被災者が避難所での生活を余儀なくされてしまった場合、被災者の苦痛が少しでも軽減されるようにすることが望まれる。このため、例えば、特許文献１では、避難所での生活を考慮して、災害発生時に速やかに対応することができる合成樹脂製の簡易ベッドが提案されている。本文献によれば、合成樹脂製の中空板材を格子状に配置することによって組みたてられた基台の上に、前記中空板材を切り出してなる天板を載置することによって組み立てられる構成としてある。また、特許文献２では、応急仮設住宅用の建材として、断熱性、耐久性、軽量性等に優れた建築用ＦＲＰサンドイッチパネルが提案され、住宅等の建物の一部に使用されている。ＦＲＰサンドイッチパネルは、断熱材やその他、用途に応じた芯材をガラス繊維強化プラスチックの表層で覆ったパネルである。しかしながら、特許文献１に開示された合成樹脂製の簡易ベッドは、合成樹脂製の中空板材を格子状に配置することによって組みたてられた基台の上に前記中空板材を切り出してなる天板を載置することによって組み立てられる構成としてあるため、格子に乗っていない場所の鉛直方向の天板強度は弱く、また水平方向や剪断方向に力が加わった場合の格子の強度も弱く、簡易ベッドとして利用するには強度は問題ないものの、簡易床として利用するには強度が不足するため両用できない。また、貫通した溝や穴が無いため、集中豪雨による川の氾濫などで避難所が浸水した時に、水の流れが格子側面に当たり簡易ベッドが流されてしまう危険がある。また、避難所は学校の体育館や自治体の公民館などに設置する場合が多く冷暖房設備が十分でない環境であるが、前記簡易ベッドは風通しが悪いため、被災時において特に暑い夏場は熱がこもり被災者が熱中症になるなどの危険がある。さらに矩形状に切り揃えられた中空板材を咬み合せて格子状に組立てる必要があるため、組立てる大きさや高さ・領域・カタチが限定されてしまうため、避難所での柔軟な設置に対応できないという問題がある。
【０００３】
特許文献２に開示された建築用ＦＲＰサンドイッチパネルは、横断面形状がＬ形、平形、および溝形のうちのいずれかの形状になっているため、貫通した溝方向では浸水した際の水の抵抗はかからないが、貫通した溝が無い方向に流れる水の抵抗はかかるため、特許文献１と同様に簡易ベッドが流されてしまう危険がある。また、ＦＲＰサンドイッチパネル製のため、大量生産に向かず価格が高い。また、通常ＦＲＰ製品は形状自由度が低いため、接合部を作成するために後加工で穴開けしたり、別に継手部材を用意する必要があり簡単に構築できるものではない。
【先行技術文献】
【特許文献】
【０００４】
【特許文献１】特開２０１２−２３５８１９号公報
【特許文献２】特開２０１５−４５１２５号公報
【発明の概要】
【発明が解決しようとする課題】
【０００５】
本発明は、上記の問題点を解決するとともに、保管に要するスペースが少なくて済み、かつ使用に供する際の組み立てや撤去時の取り外しも容易で安価に構築することができる簡易床および簡易ベッド用ユニットの提供を目的とする。    
【課題を解決するための手段】
【０００６】
本発明の簡易床および簡易ベッド用ユニットは、液体の流入出が可能な複数の籠状ブロックから成る構造物と前記構造物によって水平方向に連結される補強枠と最上段が平面状になるような天板を備えたユニットであって、前記籠状ブロックが、底部と、前記底部の反対側に開放された開口の周縁に形成され、前記底部と反対方向に突出する複数の突起部を備えた枠状のフランジ部と、前記底部から前記フランジ部に向かって外側に傾斜する側壁とを備え、前記補強枠が、前記フランジ部に対応する形状を有し、前記フランジ部に前記突起部を受け入れる窪状部が設けられた少なくとも四個の枠部分を連結して形成され、前記突起部を前記窪状部に挿入して前記籠状ブロックから成る前記構造物と前記補強枠とを接続する場合において、二個の前記補強枠を跨いで前記構造物を前記補強枠に接続することにより複数の前記補強枠が水平方向に連結されることを特徴とする。
【０００７】
このように、二個の補強枠を跨いで構造物を補強枠に接続することにより、複数のユニットを互いに堅固に連結することができる。また、継手部材を用いないため、ユニットを構成する部品の点数を減らすことができ、低コストで簡易床および簡易ベッドを構築することができる。また、最上段が略平面状になるため、安全に活動したり就寝しやすい。
【０００８】
また、本発明の簡易床および簡易ベッド用ユニットは、前記籠状ブロックと前記補強枠を組立てた状態で、縦方向と横方向の両方に流体が流れる貫通溝または貫通穴が出来ることを特徴とする。このように、縦方向と横方向の両方に貫通溝または貫通穴ができる事により、そこに温度調節用の空気を万遍なく流すことができるため、夏場や冬場においても快適に生活や活動ができる。さらに、水等の流体も抵抗が少なく流れるため、川が氾濫して浸水した場所に構築しても水圧によって簡易床および簡易ベッドが押し流されることがなく安心して生活できる。
また、本発明の簡易床、簡易ベッド用ユニットは、前記籠状ブロックと前記補強枠を構成する部材が、熱可塑性樹脂であることを特徴とする。
また、本発明の簡易床および簡易ベッド用ユニットは、前記箱状ブロックと前記補強枠を構成する部材が、射出成形にて製造されることを特徴とする。このため、射出成形で部材を成型出来きるため製品の形状自由度が高く接合部の形状を任意にデザインできるため、継手部材が必要なく、更に大量生産できるため安価に部材を提供できる。
【発明の効果】
【０００９】
本発明の簡易床および簡易ベッド用ユニットによれば、保管に要するスペースが少なくて済み、かつ使用に供する際の組み立ても撤去時の取り外しも容易であり、また温度調節が可能で、浸水した場合も安心して生活や活動ができ、さらに安価に構築することができる。
【図面の簡単な説明】
【００１０】
【図１】実施の形態に係るユニットを上方から視た斜視図である。
【図２】実施の形態に係るユニットを構成する構造物を下方から視た斜視図である。
【図３】実施の形態に係るユニットを構成する構造物を上方から視た斜視図である。
【図４】実施の形態に係るユニットを構成する構造物を側方から視た図である。
【図５】実施の形態に係るユニットを構成する補強枠を示す平面図である。
【図６】実施の形態に係るユニットを構成する補強枠を上方から視た斜視図である。
【図７】実施の形態に係るユニットを構成する天板を示す平面図である。
【図８】実施の形態に係るユニットを構成する天板を下方から視た斜視図である。
【図９Ａ】実施の形態に係るユニットを積み重ねて簡易床を構築する過程を示す概要図である。
【図９Ｂ】実施の形態に係るユニットを積み重ねて簡易床を構築する過程を示す概要図である。
【図１０】実施の形態に係るユニットにおいて、二個の補強枠を跨いで構造物を補強枠に接続する場合の例を示す図である。
【図１１Ａ】実施の形態に係るユニットを積み重ねて簡易ベッドを構築する過程を示す概要図である。
【図１１Ｂ】実施の形態に係るユニットを積み重ねて簡易ベッドを構築する過程を示す概要図である。
【図１２】実施の形態に係るユニットを積み重ねて構築された簡易床を示す斜視図である。
【図１３】実施の形態に係るユニットを積み重ねて構築された簡易床を横側面から視た図である。
【図１４】実施の形態に係るユニットを積み重ねて構築された簡易床を縦側面から視た図である。
【図１５】実施の形態に係るユニットを積み重ねて構築された簡易ベッドを示す斜視図ある。
【図１６】実施の形態に係るユニットを積み重ねて構築された簡易ベッドを横側面から視た図である。
【図１７】実施の形態に係るユニットを積み重ねて構築された簡易ベッドを縦側面から視た図である。
【図１８Ａ】実施の形態に係る構造物に過不足が生じないように、補強枠の形状に合わせて構造物を配置した状態を示す図である。
【図１８Ｂ】実施の形態に係る構造物に過不足が生じないように、補強枠の形状に合わせて構造物を配置した状態を示す図である。
【発明を実施するための形態】
【００１１】
以下、図面を参照して、実施の形態に係るユニットについて、簡易床および簡易ベッドを構成するのに用いられるユニットを例に説明する。図１は、実施の形態に係るユニットを上方から視た斜視図である。図１に示すように、ユニット１は、複数の籠状ブロック２から成る構造物４、四個の正方形状の枠部分から成る補強枠６および天板１４とによって構成される。
【００１２】
図２は、実施の形態に係るユニット１を構成する構造物４を下方から視た斜視図であり、図３は、これを上方から視た斜視図である。また、図４は、これを側方から視た図である。図２〜４に示すように、構造物４は、二個の籠状ブロック２を最小単位として構成された部材であり、ポリプロピレンを射出成型して形成されている。構造物４を構成するそれぞれの籠状ブロック２は、下方に開口部８を有し、上方に開口部８よりも面積の小さな天部１０を有している。また、籠状ブロック２の周囲は、下方に向かって外側に傾斜した側壁１１によって囲まれている。
【００１３】
開口部８を囲んだ側壁１１の下端には、二つの矩形状の枠を連結したフランジ部１２が形成されている。フランジ部１２の下面には、天部１０と反対方向に突出する複数の突起部１２ａが所定の間隔でそれぞれの開口部８を囲んで形成されている。
複数の籠状ブロック２の間には、縦方向または横方向に貫通する溝１１ｅが形成されている。
【００１４】
天部１０は、籠状ブロック２の天面を液体の流入が可能な状態で塞ぐ部位であり、液体の流入が可能な複数の通孔１０ａを有している。また、天面の周囲には、天面の上方に向かって突出する複数の突起部１０ｇが所定の間隔でそれぞれの天面を囲んで形成されている。
【００１５】
側壁１１は、液体の流入が可能な複数の通孔１１ａを有する壁である。側壁１１は、フランジ部１２を構成する四辺の上方にそれぞれ位置し、天部１０からフランジ部１２に向かって外側に傾斜している。なお、側壁１１は、それぞれ複数の柱部１１ｂと胴縁部１１ｄによって構成されている。
【００１６】
図５は、実施の形態に係るユニット１を構成する補強枠の平面図であり、図６は、これを上方から視た斜視図である。図５、６に示すように、補強枠６は、四個の正方形状の枠部分６ａを連結した構造を有し、ポリプロピレンを射出成型して形成されている。ここで、各々の枠部分６ａは、フランジ部１２に対応する形状を有している。また、四個の枠部分６ａは、それぞれ枠部分６ａを構成する四辺のうちの二辺が他の枠部分６ａの二辺と接続されており、中央に十字状のリブが形成されるようにして正方形枠状に構成されている。
また、補強枠６の表面及び裏面には、それぞれの枠部分６ａを囲むようにして、突起部１２ａ（図２、４参照）を受け入れるための窪状部６ｂが所定の間隔で設けられている。
【００１７】
図７は、実施の形態に係るユニット１を構成する天板の平面図であり、図８は、これを下方から視た斜視図である。天板１４は、二つの開口部１４ａを有する平面視略矩形状の部材であり、開口部１４ａは、それぞれ、籠状ブロック２の天部１０と同程度の大きさを有している。また、開口部１４ａを囲むようにして、突起部１０ｇ（図２、４参照）を受け入れるための窪状部１４ｂが所定の間隔で設けられている。
【００１８】
次に、実施の形態に係るユニット１を用いて簡易床および簡易ベッドを構築する手順を説明する。なお、以下の説明では、説明内容を簡易床および簡易ベッドの構築のみに絞るため、天面の保護シート・マット・畳等の敷設などの付随的な部品の配置手順については省略する。
【００１９】
まず、作業員は、図９（ａ）に示すように、地面や体育館などの床に補強枠６を載置する。
次に、作業員は、図９（ｂ）に示すように、補強枠６の上に開口部８が下側になるようにして籠状ブロック２を被せる。
ここで、籠状ブロック２のフランジ部１２に形成された突起部１２ａ（図２、４参照）の位置を補強枠６に形成された窪状部６ｂ（図５、６参照）の位置に合わせ、補強枠６の上に籠状ブロック２を載置する。これにより、突起部１２ａが窪状部６ｂに嵌め込まれ、籠状ブロック２が補強枠６上に固定される。
ここで、籠状ブロック２を被せる場合、作業員は、たとえば図１０に示すように、二個の補強枠６を跨いで構造物４を被せることにより複数の補強枠６を水平方向に連結させる。
【００２０】
次に、作業員は、図９（ｃ）に示すように、天板１４を、開口部に天部１０が嵌るようにして簡易床を構成する構造物４に取り付ける。ここで、天板１４に形成された窪状部１４ｂ（図７、８）の位置を籠状ブロック２の天部１０に形成された突起部１０ｇ（図２、４参照）の位置に合わせ、籠状ブロック２の上に天板１４を載置する。これにより、突起部１０ｇが窪状部１４ｂに嵌め込まれ、天板１４が籠状ブロック２上に固定されることにより、図９（ｄ）に示すように、簡易床の上面を平面状にすることができる。
【００２１】
図１１（ａ）、図１１（ｂ）、図１１（ｃ）、図１１（ｄ）は簡易ベッドを構築する手順を説明した図であるが、簡易床と同じ手順で構築できるため、説明は省略する。
【００２２】
この実施の形態に関わる発明によれば、図１２〜図１７に示すように、籠状ブロック２と補強枠６を組立てた状態で、縦方向と横方向の両方に貫通溝１１ｅまたは貫通穴１１ａが出来ることにより、縦方向と横方向の両方に流体が流れることができる。
【００２３】
この実施の形態に係る発明によれば、二個の補強枠６を跨いで籠状ブロック２を被せてユニット１を水平に接続することにより、複数のユニット１を互いに堅固に連結することができる。また、従来のように継手部材によらず、補強枠６を用いて複数の構造物４を接続することにより、簡易な構造でユニット１同士を接続できる。このため、ユニット１の水平方向の耐力を強化することができる。また、継手部材を用いないため、簡易床および簡易ベッドを構成する部品の点数を減らすことができ、低コストで簡易床および簡易ベッドを構築することができる。
【００２４】
また、補強枠６が四個の正方形状の枠部分６ａを連結した構造を有し、構造物４が二個の籠状ブロック２から成るため、二個の補強枠６を跨いで構造物４を被せることにより補強枠６同士を連結しても構造物４に過不足が生じることがない。たとえば、図１８（ａ）、（ｂ）に示すように、簡易床の両端部に配置する構造物４の方向をそれ以外の構造物４の方向と直交するように配置することにより、補強枠６の形状に合わせて構造物４を配置することができる。
【００２５】
また、縦方向および横方向に複数の補強枠を配置する場合、籠状ブロック２が一個となるように半分に分割した構造物４ａを簡易床および簡易ベッドの隅に配置することにより、それぞれの補強枠を縦方向または横方向に必ず構造物４が跨ぐように配置することができる。
【００２６】
また、上述の実施の形態において、構造物４および補強枠６は、ポリプロピレンに限らず他の熱可塑性樹脂で形成されていてもよい。また、構造物４や補強枠６は、射出成型で生成されるのが好適であるが、射出成型以外の方法で生成されてもよい。
【００２７】
また、上述の実施の形態において、構造物４は、必ずしも二個の籠状ブロック２から構成されていなくてもよい。たとえば、３個の籠状ブロック２から成るＬ字型の固形状を有していてもよい。また、４個の籠状ブロック２から構成され、各籠状ブロック２が補強枠６を構成する各枠部分６ａと対応するようにしてもよい。
【００２８】
また、上述の実施の形態においては、継手部材を用いなくても簡易床を構築することができることを説明しているが、継手部材を用いて簡易床および簡易ベッドを構築することも可能である。補強枠６に加えてさらに継手部材を用いることにより、より強固な簡易床および簡易ベッドを構築することができる。
【００２９】
また、上述の実施の形態において、補強枠６は、薄肉の部材を組み合わせた形状を有していてもよい。すなわち、補強枠６に、薄肉の側壁と薄肉の底面によって囲まれた複数の凹状部分が形成され、凹状部分内には適宜補強枠６の耐力を補強するリブが形成されていてもよい。
【００３０】
これにより、補強枠６を軽量で高強度の部材とすることができ、特に水平方向の耐力を強化することができる。なおこの場合、窪状部６ｂは、補強枠６にフランジ部１２を重ね合わせた場合において、突起部１２ａの位置に対応する位置に位置する凹状部分を利用したものであってもよい。
【００３１】
同様に、フランジ部１２が、薄肉の部材を組み合わせた形状を有していてもよい。すなわち、フランジ部１２に、薄肉の側壁と薄肉の底面によって囲まれた複数の凹状部分が形成され、凹状部分内には適宜フランジ部１２の耐力を補強するリブが形成されていてもよい。
【００３２】
また、上述の実施の形態においては、補強枠６に形成された窪状部６ｂの断面形状が円形である場合を例に説明しているが、窪状部６ｂの断面形状は矩形であってもよい。
【００３３】
また、上述の実施の形態においては、天部１０に形成された突起部１０ｇと天板１４に形成された窪状部１４ｂが嵌め込まれた場合を例に説明しているが、天部１０に形成された突起部１０ｇが窪状であり、天板に形成された窪状部が突起物の組み合わせであっても良い。
【００３４】
また、上述の実施の形態においては、天板１４は、二つの開口部１４ａを有する平面視略矩形状の部材である場合を例に説明しているが、二つの開口部がなく平面視略十字形状の部材であっても良い。
【符号の説明】
【００３５】
１      ユニット
２      籠状ブロック
４      構造物
４ａ    構造物
６      補強枠
６ａ    枠部分
６ｂ    窪状部
８      開口部
１０    天部
１０ａ  通孔
１０ｇ  突起部
１１    側壁
１１ａ  通孔
１１ｂ  柱部
１１ｄ  胴縁部
１１ｅ  通溝
１２    フランジ部
１２ａ  突起部
１４    天板
１４ａ  開口部
１４ｂ  窪状部
【図１】
2019141228.tif 000003
【図２】
2019141228.tif 000004
【図３】
2019141228.tif 000005
【図４】
2019141228.tif 000006
【図５】
2019141228.tif 000007
【図６】
2019141228.tif 000008
【図７】
2019141228.tif 000009
【図８】
2019141228.tif 000010
【図９Ａ】
2019141228.tif 000011
【図９Ｂ】
2019141228.tif 000012
【図１０】
2019141228.tif 000013
【図１１Ａ】
2019141228.tif 000014
【図１１Ｂ】
2019141228.tif 000015
【図１２】
2019141228.tif 000016
【図１３】
2019141228.tif 000017
【図１４】
2019141228.tif 000018
【図１５】
2019141228.tif 000019
【図１６】
2019141228.tif 000020
【図１７】
2019141228.tif 000021
【図１８Ａ】
2019141228.tif 000022
【図１８Ｂ】
2019141228.tif 000023